(57)【要約】      （修正有）【課題】災害等緊急時に、所定の金額の投入がなくとも、商品と解凍手段の取り出しを可能とした自動販売機を提供する。【解決手段】災害等緊急時に、所定の金額の投入がなくとも、商品の取り出しを可能とした自動販売機が存在する。しかし、冷凍食品用自動販売機０１０１では、さらに解凍手段がなければ、冷凍食品用自動販売機０１０１を非常用食料として利用する上で問題がある。本発明における冷凍食品用自動販売機０１０１は、災害等緊急時に、無料で、冷凍食品とその解凍ツールを提供可能な構成である点に特徴を有する。本発明により、冷凍食品用自動販売機において、冷凍食品を災害等緊急時において非常用食料として利用するために必要な、解凍するための手段を、冷凍食品とあわせて提供することができる。【選択図】図１
2011215801.tif 000002
【特許請求の範囲】
【請求項１】
電子レンジで解凍可能な冷凍食品を販売のために収納するための商品収納部と、
災害等緊急事態に応じ、外部から入力される緊急信号を取得する緊急信号取得部と、
緊急信号取得部が緊急信号を取得した場合に、金銭等の投入なしに商品収納部から冷凍食品の取り出しを可能とする切換部と、
災害等緊急時に、切換部の動作によって商品収納部から取り出された冷凍食品を電気を用いずに解凍する際に利用可能な、水分と反応させることで発熱する発熱剤、ならびに、発熱剤を水分とともに収容し冷凍食品を載置するための容器本体、を収納するための解凍ツール収納部と、
を有する冷凍食品用自動販売機。
【請求項２】
請求項１に記載の冷凍食品用自動販売機と、
この冷凍食品用自動販売機の商品収納部に収納される冷凍食品であって、
冷凍食品の容器は、
電子レンジにそのまま入れて食品とともに加熱され周縁部に容器本体の水からの水蒸気を通すための通気孔を備える電子レンジで加熱可能な加熱用盛付皿と、
加熱用盛り付け皿にかぶせて盛り付けられる料理を覆うことで、前記水蒸気を盛り付けられる料理の周囲に充満させるための蓋と、を有する冷凍食品と、
請求項１に記載の冷凍食品用自動販売機の解凍ツール収納部に収納される容器本体と、発熱剤と、からなる冷凍食品自動販売機システム。
【請求項３】
災害等緊急時に、所定の金額の投入がなくとも、電子レンジで解凍可能な冷凍食品を販売のために収納するための商品収納部に収納された冷凍食品の取出しを可能とする切換部を備えた冷凍食品用自動販売機本体と、
災害等緊急時に、切換部の動作によって商品収納部から取り出された冷凍食品を電気を用いずに解凍する際に利用可能な、水分と反応させることで発熱する発熱剤、ならびに、発熱剤を水分とともに収容し冷凍食品をその上に載置するための容器本体、を収め、日常時はロックされた解凍ツール収納箱と、からなる緊急時冷凍食品供給システムの動作方法であって、
緊急時であるとの情報の入力を受け付ける情報入力受付ステップ
情報入力受付ステップで情報を受け付けた場合に、所定の金額の投入がなくとも、商品収納部から冷凍食品の取り出しを可能とするための切換ステップと、
情報入力受付ステップで情報を受付けた場合に、解凍ツール収納箱のロックを解除するロック解除ステップと、
を有する緊急時冷凍食品供給システムの動作方法。
【発明の詳細な説明】
【技術分野】
【０００１】
本発明は、災害等緊急時にライフラインとして利用可能な冷凍食品用自動販売機に関するものである。
【背景技術】
【０００２】
災害等緊急時に、所定の金額の投入がなくとも、商品の取り出しを可能とした自動販売機が存在する（例えば、特許文献１）。
【０００３】
災害等緊急時には、電気、水道、ガス、道路や鉄道などが途絶する場合がある。この場合、食料や水が不足する可能性があるため、日頃から食料や水を備蓄しておくことが望ましい。しかしながら、災害等緊急時にしか利用されない非常用食料や水を保管する場合、保管場所が必要となるし、これらの非常用食料や水の消費期限の管理などを行う必要があり、手間とコストがかかる。
【０００４】
これに対し、自動販売機の場合は、日常時には有料で販売している商品を、そのまま災害等緊急時にはライフライン（非常用食料）として利用可能であるから、保管場所を別途必要としない。しかも、販売により、商品が入れ替わっていくので、消費期限の管理の手間とコストを省くことができる。
【０００５】
さらに、冷凍食品の場合は、長期にわたり品質の劣化を防止できるので、消費期限の管理の手間とコストの観点からは、さらに好ましく、廃棄ロスを大幅に減らすことができる。
【先行技術文献】
【特許文献】
【０００６】
【特許文献１】特開２００６−１９５９５０
【発明の概要】
【発明が解決しようとする課題】
【０００７】
しかしながら、冷凍食品の場合には、単に、災害等緊急時に、所定の金額の投入がなくとも、商品の取り出しを可能とするだけでは、非常用食料として利用するという観点から十分とはいえない。すなわち、冷凍食品を食事に適した状態とするためには、これを解凍するための手段が必要である。日常時には、電子レンジで解凍するなどの方法をとることができるが、災害等緊急時には、電気やガスなどの供給が停止する場合があり、この場合は、電子レンジやガスコンロを利用して解凍することができない。常温に放置するなどにより、解凍を行うことも考えられるが、時間がかかる上、温かい食事をとることができない。
【課題を解決するための手段】
【０００８】
上記の課題を解決するため、本出願人は、以下の発明を提案する。
【０００９】
すなわち、第一の発明として、電子レンジで解凍可能な冷凍食品を販売のために収納するための商品収納部と、災害等緊急事態に応じ、外部から入力される緊急信号を取得する緊急信号取得部と、緊急信号取得部が緊急信号を取得した場合に、金銭等の投入なしに商品収納部から冷凍食品の取り出しを可能とする切換部と、災害等緊急時に、切換部の動作によって商品収納部から取り出された冷凍食品を電気を用いずに解凍する際に利用可能な、水分と反応させることで発熱する発熱剤、ならびに、発熱剤を水分とともに収容し冷凍食品を載置するための容器本体、を収納するための解凍ツール収納部と、を有する冷凍食品用自動販売機、を提案する。
【００１０】
第二の発明として、第一の発明に記載の冷凍食品用自動販売機と、この冷凍食品用自動販売機の商品収納部に収納される冷凍食品であって、冷凍食品の容器は、電子レンジにそのまま入れて食品とともに加熱され周縁部に容器本体の水からの水蒸気を通すための通気孔を備える電子レンジで加熱可能な加熱用盛付皿と、加熱用盛り付け皿にかぶせて盛り付けられる料理を覆うことで、前記水蒸気を盛り付けられる料理の周囲に充満させるための蓋と、を有する冷凍食品と、第一の発明に記載の冷凍食品用自動販売機の解凍ツール収納部に収納される容器本体と、発熱剤と、からなる冷凍食品自動販売機システム、を提案する。
【００１１】
第三の発明として、災害等緊急時に、所定の金額の投入がなくとも、電子レンジで解凍可能な冷凍食品を販売のために収納するための商品収納部に収納された冷凍食品の取出しを可能とする切換部を備えた冷凍食品用自動販売機本体と、災害等緊急時に、切換部の動作によって商品収納部から取り出された冷凍食品を電気を用いずに解凍する際に利用可能な、水分と反応させることで発熱する発熱剤、ならびに、発熱剤を水分とともに収容し冷凍食品をその上に載置するための容器本体、を収め、日常時はロックされた解凍ツール収納箱と、からなる緊急時冷凍食品供給システムの動作方法であって、緊急時であるとの情報の入力を受け付ける情報入力受付ステップ情報入力受付ステップで情報を受け付けた場合に、所定の金額の投入がなくとも、商品収納部から冷凍食品の取り出しを可能とするための切換ステップと、情報入力受付ステップで情報を受付けた場合に、解凍ツール収納箱のロックを解除するロック解除ステップと、を有する緊急時冷凍食品供給システムの動作方法を提案する。
【発明の効果】
【００１２】
本発明により、冷凍食品用自動販売機において、冷凍食品を災害等緊急時において非常用食料として利用するために必要な、解凍するための手段を、冷凍食品とあわせて提供することができる。
【図面の簡単な説明】
【００１３】
【図１】実施形態１の冷凍食品用自動販売機の機能的構成を示す図の一例
【図２】実施形態１の冷凍食品用自動販売機の外観を示す図の一例
【図３Ａ】実施形態１の解凍ツールに収納される発熱剤ならびに容器本体を解凍する際に利用する様子を示す概念図の一例
【図３Ｂ】実施形態１の解凍ツールに収納される発熱剤ならびに容器本体を解凍する際に利用する様子を示す概念図の一例
【図４】実施形態２の加熱用盛付皿の平面図及び断面図の一例
【図５】実施形態２蓋の平面図及び断面図である。
【図６】実施形態２の加熱用盛付皿に蓋をかぶせた様子を示す平面図及び断面図
【図７Ａ】実施形態３における緊急時冷凍食品供給システムの動作方法のフロー図の一例
【図７Ｂ】実施形態３における緊急時冷凍食品供給システムの動作方法のフロー図の一例
【図８】実施形態３における緊急時冷凍食品供給システムの概念図の一例
【図９】実施形態３における緊急時冷凍食品供給システムの概念図の一例
【発明を実施するための形態】
【００１４】
以下本発明を実施するための形態について、図面を用いて説明する。なお、本発明はこれらの実施形態になんら限定されるべきものではなく、その要旨を逸脱しない範囲において種々なる態様で実施し得る。
【００１５】
実施形態１は、主に、請求項１などについて説明する。実施形態２は、主に、請求項２などについて説明する。実施形態３は、主に、請求項３などについて説明する。
<<実施形態１>>
<実施形態１：概要>
【００１６】
本実施形態の冷凍食品用自動販売機は、災害等緊急時に、無料で、冷凍食品とその解凍ツールを提供可能な構成である点に特徴を有する。これにより、日常時は、有料で販売されている冷凍食品を、災害等緊急時には、非常用食料として利用することが可能となる。
【００１７】
なお、当然のことながら、本実施形態において、日常時における解凍ツールの提供の有無は限定されない。近くに電子レンジ等がある場合や、持ち帰ることが想定されている場合には、日常時は、解凍ツールの提供がなく、災害等緊急時のみに解凍ツールが提供されてもよい。あるいは、屋外など、電子レンジの設置が困難な場合などには、日常時においても、解凍ツールの提供が行われていてもよい。
<実施形態１：全体の構成>
【００１８】
図１は、本実施形態の冷凍食品用自動販売機の機能的構成を示す図の一例である。
【００１９】
本実施形態の冷凍食品用自動販売機（０１０１）は、商品収納部（０１０４）と、緊急信号取得部（０１０２）と、切換部（０１０３）と、解凍ツール収納部（０１０５）と、を有する。
【００２０】
また、図２は、本実施形態の冷凍食品用自動販売機の外観を示す図の一例である。この図には、冷凍食品用自動販売機（０２０１）、商品収納部（０２０２）と、解凍ツール収納部（０２０３）が図示されている。
<実施形態１：各部の構成>
<商品収納部の構成>
【００２１】
ここで、再び、図１を参照する。
【００２２】
「商品収納部」（０１０４）は、電子レンジで解凍可能な冷凍食品を販売のために収納するための機能を有する。
【００２３】
すなわち、少なくとも、冷凍食品の収納領域は、冷凍保存のために冷凍機能を有している。
【００２４】
また、図２に示すような商品購入ボタン（０２０４）が設けられており、日常時は、金銭投入を検知し、所定金額以上の投入がある場合に、利用者が商品購入ボタンを押すと、商品が排出され、商品取出口（０２０５）に落下移動するための機能を備える。利用者が商品購入ボタンを押した場合の商品の排出は、例えば、押されたボタンに応じた商品の一番先頭に並んだ商品だけが、電動で、商品の落下を防ぐための、つっかえをはずされることにより、落下するといった構成が考えられる。
【００２５】
商品収納部に収納される商品は、冷凍食品のみに限られず、水やジュース、清涼飲料水などのドリンク類をも収納するための機能を有していてもよい。この場合は、災害等緊急時に、これらのドリンク類についても無料で取り出し可能とすれば、後述する発熱剤を反応させるための水分として利用することができるので、水道の断水などの場合にも冷凍食品を解凍することが可能となる。
<緊急信号取得部の構成>
【００２６】
再び、図１を参照する。
【００２７】
「緊急信号取得部」（０１０２）は、災害等緊急事態に応じ、外部から入力される緊急信号を取得する。緊急信号としては、例えば、商用電源の停電などが考えられる。すなわち、緊急信号取得部は、一定時間毎に商用電源からの給電部の電流量を測定し、これが一定値以上であるかを判定する構成を有しているといった具合であり、給電部の電流量が一定値以下となった場合、緊急信号が生成され、これが緊急信号取得部に取得される。あるいは、ラジオやテレビの緊急放送を受信して、これを緊急信号として取得するとの構成をとってもよい。または、マニュアル操作により、商品購入ボタンが暗証番号の入力を受け付ける機能を有しており、自動販売機の設置者や管理者が暗証番号を入力した場合に、緊急信号が生成され、これが緊急信号取得部に取得されることとしてもよい。取得された緊急信号は、緊急信号取得部から切換部へ送出される。
<切換部の構成>
【００２８】
「切換部」（０１０３）は、緊急信号取得部が緊急信号を取得した場合に、金銭等の投入なしに商品収納部から冷凍食品の取り出しを可能とする。例えば、通常時に、非常用電源として用いるバッテリーに蓄電しておき、このバッテリーの電力を用いて、切換部を動かしたり、商品購入ボタンが押下された場合に、所定金額の投入がなくとも、商品を排出するために商品排出動作（排出されるべき商品について、つっかえをはずすモーターの駆動など）を行ったりする、といった具合である。これにより、災害等緊急時に停電等の事態が生じても、バッテリーの電力を利用できる間は、商品を取り出すことが可能となる。
【００２９】
なお、このバッテリーの電力は、商品収納部の冷凍機能にも利用されて良いが、電力を消費しすぎると、商品排出動作に用いるべき電力が不足することとなる。したがって、商品収納部の冷凍機能には電力を利用しないか、または、利用する電力を制限する必要がある。この場合、商品収納部の、冷凍食品の収納領域の温度が上がり、冷凍食品が解凍される。解凍された冷凍食品は、しばらく経つと雑菌が繁殖するなどの問題が生じる。雑菌が繁殖するなどした冷凍食品は、非常用食料として利用しない方が好ましい。このため、例えば、切換部には、タイマーが備えられていて、一定時間経過後は、商品購入ボタンが押下されても、商品排出動作を行わないような構成にしてもよい。この場合は、停電などにより保存状態が悪化した食品が提供されることを防止できる。さらに、前述の電光掲示板に、冷凍食品の保存状態が悪化したため、非常用食料として利用できない旨の表示を行ってもよい。
<解凍ツール収納部の構成>
【００３０】
「解凍ツール収納部」（０１０５）は、発熱剤ならびに容器本体（すなわち、解凍ツール）を収納するための機能を有する。
【００３１】
発熱剤ならびに容器本体は、災害等緊急時に、切換部の動作によって商品収納部から取り出された冷凍食品を電気を用いずに解凍する際に利用可能である。
【００３２】
「解凍」には、解凍された食品を加熱する場合を含む。
【００３３】
図３Ａ及び図３Ｂは、本実施形態の解凍ツールに収納される発熱剤ならびに容器本体を解凍する際に利用する様子を示す概念図の一例である。なお、この図には、実施形態２以降において説明される蓋（０３０１）や加熱用盛付皿（０３０２）も示されているが、これらは、本実施形態に必須の構成ではない。
【００３４】
「発熱剤」（０３０４）は、水分と反応させることで発熱する。発熱剤としては、例えば、アルミニウムと酸化カルシウムを成分とする市販の発熱剤を用いることができる。なお、発熱剤を反応させるための水分は水に限定されず、ジュースや清涼飲料水などでもよい。
【００３５】
「容器本体」（０３０３）は、発熱剤（０３０４）を水分（０３０５）とともに収容し冷凍食品を載置するための機能を有する。容器本体の素材としては例えば発泡スチロールが考えられるが、機能として水分を収容でき、発熱剤の熱による変形をおこさないように耐熱性を有することで足りる。その形状、大きさ等は特に限定されるものではなく、例えば、この図に示すように皿のようなものでもよい。あるいは、袋状又は箱状として、冷凍食品を内部に収容できるような形状であっても良い。この場合には、発熱剤の熱により熱せられた水分が水蒸気となって容器本体の内部に充満することになり、効率よく冷凍食品全体を加熱することができる。
【００３６】
「載置」とは、発熱剤の反応熱により冷凍食品を解凍するために、熱の伝わる位置に冷凍食品を置くことをいう。例えば、発熱剤の上部に冷凍食品を置くこととしてもよい。あるいは、発熱剤の周囲に冷凍食品を置くこととしても良いし、反対に、冷凍食品が発熱剤によって取り囲まれるように置いてもよい。  
【００３７】
なお、解凍ツール収納部には、水分をも収納しておく構成としてもよい。災害等緊急時には、水道が断水し、発熱剤を反応させるための水分が手に入らない可能性があるからである。
【００３８】
ここで、再び、図２を参照する。この図を用いて、解凍ツール収納部を設ける位置について説明する。
【００３９】
解凍ツール収納部を設ける位置については、特に限定されない。この図に示すように、本実施形態の冷凍食品用自動販売機（０２０１）において、例えば、冷凍食品用自動販売機の上部に、解凍ツール収納部（０２０３）を設けることとしてもよい。あるいは、商品取出口（０２０５）の左右又は下部に、解凍ツール収納部を設けることとしてもよい。もちろん、解凍ツール収納部は１か所でも、複数か所でもよく、これら複数の位置に設けられていてもよい。
【００４０】
さらに、本実施形態の冷凍食品用自動販売機には、電光掲示板（０２０６）を設けてもよい。この電光掲示板に、例えば、緊急情報取得部で緊急信号が取得された場合には、商品を無料で取り出し可能である旨の表示や、解凍ツール収納部の位置などを表示することとすることが考えられる。この場合、本実施形態の冷凍食品用自動販売機に収納されている冷凍食品が非常用食料として利用可能であることを、利用者に容易に伝えることができる。
<実施形態１：効果>
【００４１】
本実施形態における冷凍食品用自動販売機により、冷凍食品を災害等緊急時において非常用食料として利用するために必要な、解凍するための手段を、冷凍食品とあわせて提供することができる。
<<実施形態２>>
<実施形態２：概要>
【００４２】
本実施形態の冷凍食品自動販売機システムは、実施形態１の冷凍食品用自動販売機に収納される冷凍食品の容器が、周縁部に容器本体の水からの水蒸気を通すための通気孔を備える加熱用盛り付け皿と、前記水蒸気を盛り付けられる料理の周囲に充満させるための蓋とを有する点に、特徴を有する。
<実施形態２：全体の構成>
【００４３】
本実施形態の冷凍食品自動販売機システムは、冷凍食品用自動販売機と、冷凍食品と、容器本体と、発熱剤と、からなる。
<実施形態２：各部の構成>
<冷凍食品用自動販売機の構成>
【００４４】
「冷凍食品用自動販売機」は、実施形態１に記載のものである。本実施形態の冷凍食品用自動販売機については、実施形態１について述べたところと同様であるので、説明を省略する。
<冷凍食品の構成>
【００４５】
「冷凍食品」は、この冷凍食品用自動販売機の商品収納部に収納される。
【００４６】
図３に示すように、冷凍食品の容器は、加熱用盛付皿（０３０２）と、蓋（０３０１）と、を有する。
【００４７】
図４は、本実施形態の加熱用盛付皿の平面図及び断面図の一例である。
【００４８】
「加熱用盛付皿」（０４０１）は、電子レンジで加熱可能であって、電子レンジにそのまま入れて食品とともに加熱される。また、周縁部に容器本体の水からの水蒸気を通すための通気孔（０４０２）を備える。
【００４９】
加熱用盛付皿の素材は、電子レンジで加熱可能であればよく、例えば、ポリプロピレンなどが考えられるが、これに限定されない。また、形状についても、この図のような八角形に限定されず、円形や他の多角形であってもよい。
【００５０】
加熱用盛付皿には、後述する蓋を取り外す際に持つことのできる、つまみ（０４０３）がついていてもよい。この場合、加熱により、加熱用盛付皿が熱くなっても、蓋が取り外し易くなる。
【００５１】
あるいは、加熱用盛付皿は、内側部分（０４０４）が、やや凸型となるように構成されていてもよい。この場合は、蒸気に触れる面積が増すと共に、凸部分に加熱された水蒸気が溜まるので、効率よく加熱用盛付皿に盛り付けられる料理を加熱することができる。
【００５２】
また、加熱用盛付皿の周壁付近に、複数の溝（０４０５）を設けてもよい。この場合は、蒸気に触れる面積が増すので、効率よく加熱用盛付皿に盛り付けられる料理を加熱することができる。
【００５３】
図５は、本実施形態の蓋の平面図及び断面図である。
【００５４】
また、図６は、本実施形態の加熱用盛付皿に、この蓋をかぶせた様子を示す平面図及び断面図である。
【００５５】
「蓋」（０６０１）は、加熱用盛付皿（０６０２）にかぶせて盛り付けられる料理を覆うことで、前記水蒸気を盛り付けられる料理の周囲に充満させるための機能を有する。蓋の素材は耐熱性を有するプラスチック等の塑性変形素材であってもよいし、金属であってもよい。
【００５６】
ここで、再び図３Ａ及び図３Ｂを参照する。この図を用いて、水蒸気を、盛り付けられる料理の周囲に充満させるための機能について説明する。
【００５７】
この図に示すように蓋（０３０１）をかぶせた加熱用盛付皿（０３０２）を容器本体（０３０３）に載置すると、発熱剤（０３０４）により熱せられた水分（０３０５）が水蒸気となる。この水蒸気は、加熱用盛付皿と容器本体とによって囲まれた空間に充満すると共に、加熱用盛付皿の通気孔（０３０６）を通って、加熱用盛付皿と蓋によって囲まれた空間にも充満する。
【００５８】
これにより、加熱用盛付皿に盛り付けられる料理は、加熱用盛付皿と容器本体とによって囲まれた空間に充満した蒸気と、加熱用盛付皿と蓋によって囲まれた空間に充満した蒸気の両方の蒸気により上下から加熱されることとなるので、加熱用盛付皿に盛り付けられる料理を効率よく加熱することができる。
<容器本体と発熱剤の構成>
【００５９】
「容器本体」と、「発熱剤」とは、実施形態１に記載の冷凍食品用自動販売機の解凍ツール収納部に収納される。容器本体と発熱剤とについては、実施形態１について述べたところと同様であるので、説明を省略する。
<実施形態２：効果>
【００６０】
本実施形態の冷凍食品自動販売機システムにより、冷凍食品を災害等緊急時において非常用食料として利用する際に、冷凍食品とあわせて提供される、解凍するための手段を、効率的よく加熱に利用することができる。
<<実施形態３>>
<実施形態３：概要>
【００６１】
本実施形態の緊急時冷凍食品供給システムの動作方法は、災害等緊急時に、無料で、冷凍食品とその解凍ツールを提供可能な構成である点に特徴を有する。これにより、日常時は、有料で販売されている冷凍食品を、災害等緊急時には、非常用食料として利用することが可能となる。
<実施形態３：全体の構成>
【００６２】
図７Ａ及び図７Ｂは、本実施形態における緊急時冷凍食品供給システムの動作方法のフロー図の一例である。
【００６３】
本実施形態における緊急時冷凍食品供給システムの動作方法は、情報入力受付ステップ（Ｓ０７０１）と、切換ステップ（Ｓ０７０２）と、ロック解除ステップ（Ｓ０７０３）と、を有する。
【００６４】
図８は、本実施形態における緊急時冷凍食品供給システムの概念図の一例である。この図に示すように、本実施形態の緊急時冷凍食品供給システムは、冷凍食品用自動販売機本体（０８０１）と、解凍ツール収納箱（０８０２、０８０３、０８０４）と、からなる。この図に示すように解凍ツール収納箱は、冷凍食品用自動販売機本体と一体であってもよいし、冷凍食品用自動販売機本体とは独立していてもよい。冷凍食品用自動販売機本体とは独立している場合というのは、例えば、解凍ツール収納箱（０８０３）を電子レンジ（０８０５）を置くための台などとして利用している場合や、解凍ツール収納箱（０８０４）を飲料の自動販売機（０８０６）の一部として設ける場合を含む。
【００６５】
また、図９は、本実施形態における緊急時冷凍食品供給システムの概念図の他の一例である。この図に示すように、本実施形態の緊急時冷凍食品供給システムは、冷凍食品用自動販売機本体（０９０１）と、解凍ツール収納箱（０９０２）と、からなる。この図に示すように、解凍ツール収納箱は、自動販売機付近に設置されたゴミ箱の上部の空間を利用して、設けてもよい。ゴミ箱は、ゴミを入れるための入れ口（０９０３）と、ゴミをためるための袋（０９０４）が設けられていればよく、その上部に空間が空いているので、この部分を利用することで、新たなスペースを必要とせず、簡単に解凍ツール収納箱を設けることができる。あるいは、ＡＥＤ（自動体外式除細動器）を収納するための箱の上部の空間を利用して、解凍ツール収納箱を設けてもよい。
【００６６】
もちろん、解凍ツール収納箱は１つでも、複数でもよいので、これらのいずれかでも、全部を組み合わせていてもよい。
<実施形態３：各部の構成>
<緊急時冷凍食品供給システム：冷凍食品用自動販売機本体の構成>
【００６７】
再び図８を参照する。「冷凍食品用自動販売機本体」（０８０１）は、商品収納部（０８０７）及び切換部を備える。
【００６８】
商品収納部は、電子レンジで解凍可能な冷凍食品を販売のために収納するための機能を有する。商品収納部については、実施形態１又は２で述べたところと同様であるので、説明を省略する。
【００６９】
切換部は、災害等緊急時に、所定の金額の投入がなくとも、商品収納部に収納された冷凍食品の取出しを可能とする機能を有する。切換部については、実施形態１又は２で述べたところと同様であるので、説明を省略する。
<緊急時冷凍食品供給システム：解凍ツール収納箱の構成>
【００７０】
「解凍ツール収納箱」（０８０２、０８０３、０８０４）は、発熱剤ならびに容器本体を収めている。発熱剤ならびに容器本体は、切換部の動作によって商品収納部から取り出された冷凍食品を電気を用いずに解凍する際に利用可能である。
【００７１】
「発熱剤」は、水分と反応させることで発熱する。発熱剤については、実施形態１又は２で述べたところと同様であるので、説明を省略する。
【００７２】
「容器本体」は、発熱剤を水分とともに収容し冷凍食品をその上に載置するための機能を有する。容器本体については、実施形態１又は２で述べたところと同様であるので、説明を省略する。
【００７３】
解凍ツール収納箱は、日常時はロックされている。
【００７４】
「ロックされている」とは、利用者が収納されている解凍ツールを無料で取り出すことを制限するための機構を備えていることをいう。冷凍食品を販売する際に提供される場合は、無料で取り出すことに含まれない。したがって、日常時においても、ロックが解除され、解凍ツールの提供が行われる場合はあり得る。
<情報入力受付ステップの構成>
【００７５】
ここで、再び、図７Ａを参照する。
【００７６】
「情報入力受付ステップ」（Ｓ０７０１）は、緊急時であるとの情報の入力を受け付ける。すなわち、緊急時であるかを判定し、Ｙｅｓであれば、切換ステップへ進む。緊急時であるとの情報（緊急信号）としては、例えば、商用電源の停電などが考えられる。すなわち、情報入力受付ステップは、一定時間毎に商用電源からの給電部の電流量を測定し、これが一定値以上であるかを判定する構成を有しているといった具合であり、給電部の電流量が一定値以下となった場合、緊急信号が生成され、これが情報入力受付ステップに取得される。あるいは、ラジオやテレビの緊急放送を受信して、これを緊急信号として取得するとの構成をとってもよい。または、マニュアル操作により、商品購入ボタンが暗証番号の入力を受け付ける機能を有しており、自動販売機の設置者や管理者が暗証番号を入力した場合に、緊急信号が生成され、これが情報入力受付ステップに取得されることとしてもよい。取得された緊急信号は、情報入力受付ステップから切換ステップへ送出される。
<切換ステップの構成>
【００７７】
「切換ステップ」（Ｓ０７０２）は、情報入力受付ステップで情報を受け付けた場合に、所定の金額の投入がなくとも、商品収納部から冷凍食品の取り出しを可能とするための機能を有する。例えば、通常時に、非常用電源として用いるバッテリーに蓄電しておき、このバッテリーの電力を用いて、切換部を動かしたり、商品購入ボタンが押下された場合に、所定金額の投入がなくとも、商品を排出するために商品排出動作（排出されるべき商品について、つっかえをはずすモーターの駆動など）を行ったりする、といった具合である。これにより、災害等緊急時に停電等の事態が生じても、バッテリーの電力を利用できる間は、商品を取り出すことが可能となる。
【００７８】
なお、切換ステップと、後述するロック解除ステップとは、順番が逆になっていてもよい。
<ロック解除ステップの構成>
【００７９】
「ロック解除ステップ」（Ｓ０７０３）は、情報入力受付ステップで情報（すなわち、緊急信号）を受付けた場合に、解凍ツール収納箱のロックを解除する。
【００８０】
ロック解除ステップの構成としては、情報入力受付ステップにおいて、緊急信号を受け付けた場合、特殊なコイン又は鍵が商品取出口に排出され、この特殊なコイン又は鍵が、解凍ツール収納箱のロックの解除に利用できるといった構成が考えられる。
【００８１】
あるいは、解凍ツール収納箱に暗証番号の入力を受け付ける暗証番号入力部を設けておき、情報入力受付ステップで緊急信号を受け付けた場合、解凍ツール収納箱のロックを解除するための暗証番号が、冷凍食品用自動販売機本体に備えられた電光掲示板に表示され、又は、冷凍食品用自動販売機本体から音声として出力される構成としてもよい。暗証番号が入力されると、例えば、電動でロックが解除される。
<付加的な構成>
【００８２】
ここで、図７Ｂを参照する。  
【００８３】
本実施形態における緊急時冷凍食品供給システムの動作方法には、さらに、商品購入ボタンが押下されたかを判定する購入ボタン押下判定ステップ（Ｓ０７０４）、商品購入ボタンが押下された場合に商品を排出する商品排出ステップ（Ｓ０７０５）、緊急時であるとの情報の入力を受け付けてからの時間を計測し、一定時間が経過したかを判定し、一定時間が経過した場合には、商品購入ボタンが押下されても商品が排出されないようにするための時間計測ステップ（Ｓ０７０６）をさらにくわえても良い。
【００８４】
この場合は、災害等緊急時に、停電がおこり、商品が冷やされなくなった場合にも、一定時間が経過した場合には、冷凍食品の排出を停止することが可能となるので、停電などにより保存状態が悪化した食品が提供されることを防止できる。すなわち、災害等緊急時に、停電が起こると、商品収納部の、冷凍食品の収納領域の温度が上がり、冷凍食品が解凍される。解凍された冷凍食品は、しばらく経つと雑菌が繁殖するなどの問題が生じる。雑菌が繁殖するなどした冷凍食品は、非常用食料として利用しない方が好ましい。そこで、前記のような付加的な構成により、一定時間経過後は、商品購入ボタンが押下されても、商品排出動作を行わないような構成にしてもよい。
【００８５】
さらに、図８に示す電光掲示板（０８０８）に、冷凍食品の保存状態が悪化したため、非常用食料として利用できない旨の表示を行ってもよい
<実施形態３：効果>
【００８６】
本実施形態における緊急時冷凍食品供給システムの動作方法により、冷凍食品を災害等緊急時において非常用食料として利用するために必要な、解凍するための手段を、冷凍食品とあわせて提供することができる。
【符号の説明】
【００８７】
冷凍食品用自動販売機  ０１０１、０２０１
商品収納部  ０１０４、０２０２、０８０７
緊急信号取得部  ０１０２、
切換部  ０１０３
解凍ツール収納部  ０１０５、０２０３
商品購入ボタン  ０２０４
商品取出口  ０２０５
電光掲示板  ０２０６、０８０８
蓋  ０３０１、０６０１
加熱用盛付皿  ０３０２、０４０１、０６０２
容器本体  ０３０３
発熱剤  ０３０４
水分  ０３０５
通気孔  ０３０６、０４０２
つまみ  ０４０３
加熱用盛付皿の内側部分  ０４０４
加熱用盛付皿の周壁付近の溝  ０４０５
情報入力受付ステップ  Ｓ０７０１
切換ステップ  Ｓ０７０２
ロック解除ステップ  Ｓ０７０３
購入ボタン押下判定ステップ  Ｓ０７０４
商品排出ステップ  Ｓ０７０５
時間計測ステップ  Ｓ０７０６
冷凍食品用自動販売機本体  ０８０１、０９０１
解凍ツール収納箱  ０８０２、０８０３、０８０４、０９０２
電子レンジ  ０８０５
飲料の自動販売機  ０８０６
ゴミを入れるための入れ口  ０９０３
ゴミをためるための袋  ０９０４
【図１】
2011215801.tif 000003
【図２】
2011215801.tif 000004
【図３Ａ】
2011215801.tif 000005
【図３Ｂ】
2011215801.tif 000006
【図４】
2011215801.tif 000007
【図５】
2011215801.tif 000008
【図６】
2011215801.tif 000009
【図７Ａ】
2011215801.tif 000010
【図７Ｂ】
2011215801.tif 000011
【図８】
2011215801.tif 000012
【図９】
2011215801.tif 000013